(57)【要約】【課題】例えば寝具等に用いられる空調マットにおいて、使用者に十分な冷涼感を与えつつ、表面材の肌触りの良さを保つことを目的とする。【解決手段】内部に通気路２を有し、上面にこの通気路２と連通する通気孔３を形成した筐体１と、前記通気孔３を覆うように筐体１の上面に覆設された表面材４と前記筐体１の通気路２に除湿空気を供給する空調装置５とを具備し、前記表面材４は速乾性と熱伝導に優れた繊維によって構成されている。従って、筐体１内部の通気路２を介して供給される除湿空気によって使用者と表面材４との間に蓄積される熱や水分を除去、分散、回収をすることができる。そして、表面材４の優れた熱伝導性により、供給された除湿空気によって表面材４全体も速やかに冷却される。【選択図】  図１
2004248807.tif 000002
【特許請求の範囲】
【請求項１】
内部に通気路を有し、上面にこの通気路と連通する通気孔を形成した筐体と、前記通気孔を覆うように筐体の上面に覆設された表面材と前記筐体の通気路に除湿空気を供給する空調装置とを具備し、前記表面材は速乾性と熱伝導性に優れた繊維から構成した空調マット。
【請求項２】
筐体を発泡樹脂で形成した請求項１記載の空調マット。
【請求項３】
表面材は、エチレンビニルアルコールでできた繊維と綿との混紡から構成した請求項１記載の空調マット。
【請求項４】
空調装置の除湿手段として除湿材を用いた請求項１記載の空調マット。
【請求項５】
除湿手段は、除湿材をロータリー状に配列し、輪番制となるように移動可能に設置し、かつ、吸着した水分を蒸発させる加熱ヒータを具備した請求項４記載の空調マット。
【発明の詳細な説明】
【０００１】
【発明の属する技術分野】
本発明は、冷涼感を与える例えば寝具などに用いられる空調マットに関するものである。
【０００２】
【従来に関する技術】
従来の空調マットは、図２に示すように、本体内部に通気路１１を有し、その通気路１１の一端１２から送風装置により空気を供給し、通気路１１を流動後、通気路１１と連通した開口部１３から外部に放出される構成となっていた。そして、前記本体の上に表面材を敷設し、表面材上の熱と水分が表面材を経て通気路に放散されることで使用者に冷涼感を与えることとしていた（特許文献１）。
【０００３】
【特許文献１】
特開２００２−１３６３９４号公報（第２頁、第５頁、第１図）
【０００４】
【発明が解決しようとする課題】
しかしながら、上記従来の構成では、表面材は、厚みが薄く、通気性の少ない素材に限定される為、冷涼感を充分与えつつ、表面材の接触面の肌触りの良さを満たすことができない、という課題を有していた。
【０００５】
本発明は、上記従来の課題を解決するものであり、使用者に冷涼感を充分与えつつ表面材の接触面の肌触りが良い空調マットを提供することを目的とする。
【０００６】
【課題を解決するための手段】
本発明は、内部に通気路を有し、上面にこの通気路と連通する通気孔を形成した筐体と、前記通気孔を覆うように筐体の上面に覆設された表面材と前記筐体の通気路に除湿空気を供給する空調装置とを具備し、前記表面材は速乾性と熱伝導性に優れた繊維によって構成されている。
【０００７】
従って、筐体内部の通気路を介して供給される除湿空気によって使用者と表面材との間に蓄積される熱や水分を除去、分散、回収することができる。また、表面材の優れた熱伝導性により、供給された除湿空気によって表面材全体も速やかに冷却される。
【０００８】
【発明実施の形態】
上記の目的を達成するために本発明は、内部に通気路を有し、上面にこの通気路と連通する通気孔を形成した筐体と、前記通気孔を覆うように筐体の上面に覆設された表面材と前記筐体の通気路に除湿空気を供給する空調装置とを具備し、前記表面材は速乾性と熱伝導に優れた繊維によって構成されている。
【０００９】
これによって、筐体内部の通気路を介して供給される除湿空気によって使用者と表面材との間に蓄積される熱や水分を除去、分散、回収をすることができる。そして、表面材の優れた熱伝導性により、供給された除湿空気によって表面材全体も速やかに冷却される。
【００１０】
また、筐体は発泡樹脂で形成されているので筐体内部の通気路が自在に構成できると共に、軽量で断熱性の優れた筐体とすることができる。
【００１１】
また、表面材はエチレンビニルアルコールでできた繊維と綿との混紡で構成されているので表面材の肌触りが良く、水分の吸湿、分散をより効率的に行うことができる。
【００１２】
また、空調装置の除湿手段は除湿材を用いているので静音化が図れる。
【００１３】
また、除湿手段は、除湿材をロータリー状に配列し、輪番制となるように移動可能に設置し、かつ、吸着した水分を蒸発させる加熱ヒータを具備しているので除湿材に一定量の水分が吸着し、除湿機能を失っても、加熱することによって水分を放出させ、再度除湿機能を有する除湿材として再生することができる。
【００１４】
【実施例】
以下本発明の実施例を図面を参照して説明する。
【００１５】
（実施例１）
図１、２において、筐体１にはその内部に複数本の通気路２を、また上面にこれら通気路２と連通する多数の通気孔３が設けられている。更にこれら通気孔３を覆うように筐体１の上面に表面材４が覆設されている。
【００１６】
上記表面材４は、速乾性と熱伝導性に優れた繊維から構成されている。
【００１７】
また、上記筐体１は発泡樹脂で形成されている。
【００１８】
更に、除湿空気を供給する空調装置５が送風管６によって筐体１と連結されている。
【００１９】
空調装置５は、冷媒を用いた冷却システムによって通気路２を通じて回収された水分が吸収される除湿手段をとっている。
【００２０】
そして、上記構成の空調マットの電源を入れると、空調装置５から除湿空気が送風管６を通って筐体１の内部に設けられている通気路２に供給され、筐体１上面に覆設された通気孔３から排出される。
【００２１】
筐体１は発泡樹脂で形成されているので筐体内部の通気路２が自在に構成できると共に、軽量で断熱性の優れたものとすることができ、除湿空気が通気路２を通る際に熱が逃げない。
【００２２】
排出された除湿空気によって使用者と表面材４の間で使用者が接触している部位に蓄積された水分が蒸発し、この時に発生する気化熱によってより冷涼感が与えられる。
【００２３】
また、通気孔から排出される除湿空気が優れた熱伝導性を有する表面材４に当たることによって速やかに冷却され、表面材４が直接使用者の体に触れることによって、更に使用者は冷涼感を与えられる。
【００２４】
更に、使用者と表面材４の間で使用者が接触している部位に蓄積された湿気は、速やかに通気孔３から通気路２を介して空調装置５に回収される。
【００２５】
また、表面材４は例えばエチレンビニルアルコールで作られている。従って、優れた熱伝導性を発揮する。加えて、５０％から７０％程度の綿を混紡すれば、表面材４の肌触りが良く、水分の吸湿・分散をより効率的に行うことができることとなる。
【００２６】
（実施例２）
図３は、空調装置５の具体例であって、空気の循環方式を示す。空調装置５は入口と出口を有する通風ケースであり、その中には上手側から順に、送風ファン７、加熱ヒータ８、除湿材９と熱交換器１０がある。除湿材９としては、例えばコルゲート状や粒状のシリカゲルや活性アルミナ等といったものを用いる。除湿材９は一定量の水分を吸着すると除湿能力が低下するため、一旦吸着した水分を加熱することで放出する必要があるため、加熱ヒータ８は再生運転を交互に行う必要がある。
【００２７】
また、例えば複数の除湿材９をロータリー状に配列することによって除湿材９を輪番で使用することができる。すなわち、一定量の水分を吸着した除湿材９を加熱ヒータ８によって加熱することで水分を放出し、再度除湿機能を有する除湿材９として順に使用する方式等の形をとってもよい。いずれにしても、従来のコンプレッサー方式等とは異なり静音化が容易となり、より快適な使用感が得られる。
【００２８】
【発明の効果】
以上のように本発明によれば、余分に発生した熱・水分を空調装置に回収し、加えて使用者が接触する表面材自体も冷却される効果によって例えば寝苦しい夏等に安眠することができる。
【図面の簡単な説明】
【図１】本発明の実施例１を示す空調マットの平面図
【図２】本発明の実施例１を示す空調マットの縦断面図
【図３】本発明の実施例２を示す空調装置の縦断面図
【図４】従来の送風機構付マットレスの平面図
【符号の説明】
１  筐体
２  通気路
３  通気孔
４  表面材
５  空調装置
６  送風管
７  送風ファン
８  加熱ヒータ
９  除湿材
１０  熱交換器
１１  通気路
１２  通気路の一端
１３  開口部
【図１】
2004248807.tif 000003
【図２】
2004248807.tif 000004
【図３】
2004248807.tif 000005
【図４】
2004248807.tif 000006